(57)【要約】【課題】手持在高を正しく保持することができ、また入力ミスを減らす。【解決手段】表示器と、販売データ処理に際して入出金する貨幣を収納する貨幣収納部と、前記貨幣収納部内の貨幣金種毎の枚数および金額である在高と、前記在高に含まれる各紙幣金種を組み合わせた金額であって前記在高から予め決められた釣銭準備金の合計額を差し引いた仮入金額を超えずに当該仮入金額に最も近くなる金額を構成する紙幣金種毎の枚数および金額である入金額と、前記仮入金額と前記入金額との差額を構成する貨幣金種毎の枚数および金額であるプール金と、前記入金額および前記プール金を前記在高から減じた貨幣金種毎の枚数および金額である釣銭準備金とを表示する調整画面を前記表示器に表示する表示手段と、前記入金額と前記プール金と前記釣銭準備金として前記調整画面上に表示された値の変更を実行する変更手段と、を備える。【選択図】図４
2020109713.tif 000002
【特許請求の範囲】
【請求項１】
表示器と、
販売データ処理に際して入出金する貨幣を収納する貨幣収納部と、
前記貨幣収納部内の貨幣金種毎の枚数および金額である在高と、前記在高に含まれる各紙幣金種を組み合わせた金額であって前記在高から予め決められた釣銭準備金の合計額を差し引いた仮入金額を超えずに当該仮入金額に最も近くなる金額を構成する紙幣金種毎の枚数および金額である入金額と、前記仮入金額と前記入金額との差額を構成する貨幣金種毎の枚数および金額であるプール金と、前記入金額および前記プール金を前記在高から減じた貨幣金種毎の枚数および金額である釣銭準備金とを表示する調整画面を前記表示器に表示する表示手段と、
前記入金額と前記プール金と前記釣銭準備金として前記調整画面上に表示された値の変更を実行する変更手段と、
を備えることを特徴とする販売データ処理装置。
【請求項２】
前記貨幣収納部内の貨幣金種毎の枚数および金額である在高を入力する在高入力手段と、
前記貨幣収納部内に収納すべき釣銭準備金の合計額を入力する準備金入力手段と、
前記在高に含まれる各紙幣金種を組み合わせた金額であって前記在高から前記釣銭準備金の合計額を差し引いた仮入金額を超えずに当該仮入金額に最も近くなる金額にかかる紙幣金種毎の枚数および金額を前記入金額として算出する入金額算出手段と、
前記仮入金額と前記入金額との差額を構成する貨幣金種毎の枚数および金額を前記プール金として算出するプール金算出手段と、
前記入金額および前記プール金を前記在高から減じた貨幣金種毎の枚数および金額を前記釣銭準備金として算出する準備金算出手段と、
を備えることを特徴とする請求項１記載の販売データ処理装置。
【請求項３】
前記表示手段は、前記調整画面上に表示された前記在高を、前記変更手段により変更できないようにロックされた状態にする、
ことを特徴とする請求項１記載の販売データ処理装置。
【請求項４】
前記変更手段は、前記釣銭準備金の全金種の合計金額と前記準備金入力手段により入力された前記釣銭準備金の合計額とが一致することを条件として、当該釣銭準備金を変更可能とする、
ことを特徴とする請求項２記載の販売データ処理装置。
【請求項５】
前記変更手段は、前記入金額と前記プール金とのそれぞれの合計金額の初期値と一致することを条件として、前記入金額と前記プール金とを変更可能とする、
ことを特徴とする請求項２記載の販売データ処理装置。
【発明の詳細な説明】
【技術分野】
【０００１】
本発明の実施形態は、販売データ処理装置に関する。
【背景技術】
【０００２】
従来、小売店や飲食店等の店舗では、営業終了後等に、翌日の釣銭用の貨幣である釣銭準備金を自動釣銭機やドロワなどの貨幣収納部内に確保する。その上で、店舗では、営業終了後等に、貨幣収納部内から本日の売上金の一部又は全部を夜間金庫等に入金する作業を行う。
【０００３】
上述した釣銭準備金の用意や入金作業の際、ＰＯＳ（Point  Of  Sales）端末は、貨幣収納部内の手持在高（貨幣の残高）を表示器に表示する。店員は、表示器に表示される貨幣収納部内の在高を基に、翌日の釣銭準備金を確保した上での入金額を計算する。すなわち、入金額は、「手持在高−翌日釣銭準備金」で算出される。
【０００４】
ところで、近年においては、利便性が高く手数料も安いことから、営業終了後等に、コンビニエンスストア等に設置されているＡＴＭ（Automatic  Teller  Machine：現金自動預け払い機）へ入金する運用も行われている。従来におけるＡＴＭへの入金運用は、紙幣のみの入金しか対応できないため、手持在高金額を減算して入金額が紙幣のみとなるように調整していた。
【０００５】
しかしながら、上述のような運用によれば、手持在高金額が本来の金額ではなくなること、また手動で入力するためミスをしやすいなどの問題があった。
【発明の概要】
【発明が解決しようとする課題】
【０００６】
本発明が解決しようとする課題は、コンビニエンスストア等に設置されているＡＴＭに入金するための紙幣のみの入金額を金種毎に自動で算出することで、手持在高を正しく保持することができ、また入力ミスを減らすことができる販売データ処理装置を提供することである。
【課題を解決するための手段】
【０００７】
実施形態の販売データ処理装置は、表示器と、販売データ処理に際して入出金する貨幣を収納する貨幣収納部と、前記貨幣収納部内の貨幣金種毎の枚数および金額である在高と、前記在高に含まれる各紙幣金種を組み合わせた金額であって前記在高から予め決められた釣銭準備金の合計額を差し引いた仮入金額を超えずに当該仮入金額に最も近くなる金額を構成する紙幣金種毎の枚数および金額である入金額と、前記仮入金額と前記入金額との差額を構成する貨幣金種毎の枚数および金額であるプール金と、前記入金額および前記プール金を前記在高から減じた貨幣金種毎の枚数および金額である釣銭準備金とを表示する調整画面を前記表示器に表示する表示手段と、前記入金額と前記プール金と前記釣銭準備金として前記調整画面上に表示された値の変更を実行する変更手段と、を備える。
【図面の簡単な説明】
【０００８】
【図１】図１は、実施形態にかかるＰＯＳ端末を示す外観斜視図である。
【図２】図２は、ＰＯＳ端末のハードウェア構成を示すブロック図である。
【図３】図３は、釣銭管理処理にかかる機能を示す機能ブロック図である。
【図４】図４は、入金金種調整画面を示す正面図である。
【図５】図５は、釣銭管理処理の流れを概略的に示すフローチャートである。
【発明を実施するための形態】
【０００９】
図１は、実施形態にかかるＰＯＳ端末１０を示す外観斜視図である。本実施形態においては、販売データ処理装置としてコンビニエンスストアに設置されるＰＯＳ（Point  Of  Sales）端末への適用例について説明する。
【００１０】
図１に示すように、ＰＯＳ端末１０は、このＰＯＳ端末１０に通信ケーブル（図示せず）を介して接続された自動釣銭機１００上に載置されている。自動釣銭機１００は、ＰＯＳ端末１０の販売データ処理に際して入出金する貨幣を収納する貨幣収納部である。
【００１１】
ＰＯＳ端末１０は、キーボード３２、モードキー３３、操作者用表示器３４、客用表示器３５、コードスキャナ３６、サーマルプリンタ３７等を備えている。操作者用表示器３４は、表示器として機能するものであり、入力装置としてのタッチパネル４３を積層して備えている。また、ＰＯＳ端末１０は、上記各部を制御する制御部３１（図２参照）を備えている。
【００１２】
図２は、ＰＯＳ端末１０のハードウェア構成を示すブロック図である。図２に示すように、制御部３１は、各部を集中的に制御するＣＰＵ（Central  Processing  Unit）３８に、アドレスバス、データバス等のバスライン３９を介して、ＲＯＭ（Read  Only  Memory）４０と、ＲＡＭ（Random  Access  Memory）４１と、タイマ４２とが接続されて構成されたコンピュータである。
【００１３】
ＲＯＭ４０は、起動プログラム等の固定的データを予め格納する。ＲＡＭ４１は、売上バッファや印字バッファ等の各種バッファを構成して各種データを書き換え自在に格納する。タイマ４２は、日付や日時を計時する。
【００１４】
ＣＰＵ３８に接続されたバスライン３９には、ＨＤＤ（Hard  Disk  Drive）５５が接続されている。ＨＤＤ５５は、制御部３１を動作させるコンピュータプログラムの他に、商品マスタファイル、売上データ等を記憶する売上ファイル等を格納する。商品マスタファイルは、商品コードに対応付けて商品名や単価などを記憶するファイルである。
【００１５】
ＨＤＤ５５に格納されたコンピュータプログラムは、ＰＯＳ端末１０の起動時に商品マスタファイル等の各種ファイルとともにＲＡＭ４１に書き込まれる。ＰＯＳ端末１０の制御部３１は、ＲＡＭ４１に書き込まれたコンピュータプログラムに従って各部を駆動制御する。
【００１６】
次に、制御部３１によって駆動制御される各部について説明する。
【００１７】
キーボード３２は、置数キー、ＰＬＵキー、部門キー、小計キー、預／現計キー、クリアキー、エンターキー、リセットキー等の各種キーを配設したものである。キーボード３２は、キーボードコントローラ６８を介してバスライン３９に接続されている。キーボードコントローラ６８は、操作されたキーに応じた信号を制御部３１に入力する。
【００１８】
モードキー３３は、モードキーコントローラ６９を介してバスライン３９に接続されている。モードキーコントローラ６９は、モードキー３３の切り替え位置に応じた信号を制御部３１に入力する。制御部３１は、モードキー３３からの出力信号に応じて、ＰＯＳ端末１０の動作モードを登録モード、設定モード、精算モード、点検モード等の各業務モードに設定する。
【００１９】
操作者用表示器３４及び客用表示器３５は、表示コントローラ７０，７１を介してバスライン３９に接続されている。表示コントローラ７０，７１は、制御部３１から表示データが入力されると、操作者用表示器３４及び客用表示器３５に表示データに応じた所定事項を表示する。
【００２０】
タッチパネル４３は、操作者によってタッチされたパネル上のＸＹ座標の位置を認識して座標データを取得する。タッチパネル４３は、パネルコントローラ４４を介してバスライン３９に接続されている。パネルコントローラ４４は、取得した座標データに応じた信号を制御部３１に入力する。
【００２１】
コードスキャナ３６は、商品に付されたバーコードなどの商品コードを光学的に読み取るものである。コードスキャナ３６は、スキャナコントローラ７２を介してバスライン３９に接続されている。スキャナコントローラ７２は、コードスキャナ３６で読み取った商品コードのデータを制御部３１に送信する。
【００２２】
サーマルプリンタ３７は、プリンタコントローラ７３を介してバスライン３９に接続されている。このサーマルプリンタ３７は、カッタ部（図示せず）を内蔵している。プリンタコントローラ７３は、制御部３１から駆動制御信号が入力されると、駆動制御信号に応じてサーマルプリンタ３７を駆動する。具体的には、プリンタコントローラ７３は、図示しない長尺紙であるレシート用紙にレシートとしての必要事項を印字した後に切断してレシートとして発行する。
【００２３】
また、ＰＯＳ端末１０は、通信ケーブルを介して自動釣銭機１００を接続する。自動釣銭機１００は、通信インタフェース７４を介してバスライン３９に接続されている。通信インタフェース７４は、制御部３１から制御信号が入力されると、制御信号を自動釣銭機１００に出力する。また、通信インタフェース７４は、自動釣銭機１００から制御信号が入力されると、制御信号を制御部３１に出力する。
【００２４】
このような構成のＰＯＳ端末１０の制御部３１は、商品の販売データ処理を行う。販売データ処理では、制御部３１は、例えばコードスキャナ３６による商品に付された商品コードの読み取り入力がなされると、読み取り入力された商品コードに基づいて商品マスタファイルを検索する。制御部３１は、該当する商品コードに対応した商品名や単価等の商品情報を読み出し、商品コード及び読み出した商品情報等をＲＡＭ４１に記憶させて商品の販売登録を行う。そして、制御部３１は、小計キーの押下に応じて当該取引の売上金額を算出してＲＡＭ４１に記憶させる。
【００２５】
次に、ＰＯＳ端末１０の制御部３１は、客が買上げる商品の登録を終了しその客が現金で代金を支払うことを宣言する締め宣言が預／現計キーの操作により行われたことを検知すると、締め処理を実行する。制御部３１は、締め処理では、キーボード３２の置数キーによって入力された客からの預かり金額を取得する。制御部３１は、その預かり金額からＲＡＭ４１に記憶させた当該取引の売上金額を減じて釣銭金額を算出し、自動釣銭機１００に対し釣銭データを送信する。また、制御部３１は、サーマルプリンタ３７によるレシートの印字発行等を行う。
【００２６】
自動釣銭機１００は、図１に示すように、硬貨を扱う硬貨入出金部１０１と、紙幣を扱う紙幣入出金部１０２と、を備えている。
【００２７】
硬貨入出金部１０１及び紙幣入出金部１０２は、それぞれ、貨幣（硬貨入出金部１０１の場合には硬貨、紙幣入出金部１０２の場合には紙幣）を金種別に収納する収納部（図示せず）を備えている。また、硬貨入出金部１０１及び紙幣入出金部１０２は、客の支払いや釣銭準備金として補充する貨幣を投入する投入口１０１ａ，１０２ａを備えている。
【００２８】
また、硬貨入出金部１０１及び紙幣入出金部１０２は、ＰＯＳ端末１０から在高（貨幣の残高）の要求コマンドを受信すると、収納部に収納されている金種別の収納枚数データに基づいて現時点における現金の合計金額である在高を算出する。そして、硬貨入出金部１０１及び紙幣入出金部１０２は、その在高を含む在高情報をＰＯＳ端末１０に送出する。この在高情報には、金種毎の貨幣の枚数と金種毎の合計金額（在高）と全金種の合計金額とが含まれる。
【００２９】
次に、ＰＯＳ端末１０の制御部３１（ＣＰＵ３８）が実行する各種の処理のうち、本実施形態の特徴的な機能である釣銭管理処理について説明する。この釣銭管理処理は、精算モードにおいて実行される。
【００３０】
釣銭管理処理では、ＰＯＳ端末１０のＣＰＵ３８は、プログラムに従うことにより、図３に示すように、表示手段８１と、変更手段８２と、在高入力手段８３と、準備金入力手段８４と、入金額算出手段８５と、プール金算出手段８６と、準備金算出手段８７と、を機能部として実現する。
【００３１】
表示手段８１は、入金金種調整画面２００（図４参照）を操作者用表示器３４に表示する。
【００３２】
ここで、図４は、入金金種調整画面２００を示す正面図である。図４に示すように、入金金種調整画面２００には、在高情報エリア２０１と、釣銭準備金情報エリア２０２と、入金額エリア２０５と、を表示する。入金額エリア２０５は、入金額情報エリア２０３と、プール金情報エリア２０４とを含んでいる。この入金金種調整画面２００では、カーソルによって選択された所望の個別エリアに対して、キーボード３２の置数キーによって数字が入力可能となっている。従って、操作者は、所望の個別エリアにカーソルを移動させて、そのカーソルを移動させた個別エリアに対してキーボード３２の置数キーによって数字を入力することで、各種情報を入力する。
【００３３】
在高情報エリア２０１は、自動釣銭機１００内の金種別在高に関する在高情報を表示する。在高情報は、ＰＯＳ端末１０からの要求に応じて自動釣銭機１００から送信される。在高情報は、自動釣銭機１００内の金種毎の貨幣の存在枚数と金種毎の合計金額と全金種の合計金額である。なお、在高情報エリア２０１に表示される在高情報は、変更できないようにロックされた状態である。
【００３４】
また、入金金種調整画面２００は、ＰＯＳ端末１０が販売データ処理に基づいて計算した自動釣銭機１００の理論上の在高である理論在高情報（あるべき現金）を表示する理論在高表示エリア２０６と、理論在高に対する実際の在高の過不足金額を表示する過不足金額表示エリア２０７とを含む。
【００３５】
釣銭準備金情報エリア２０２は、自動釣銭機１００内に収納すべき翌日分の釣銭準備金に関する釣銭準備金情報を表示する。釣銭準備金情報は、金種毎の釣銭準備金としての貨幣の枚数と金種毎の合計金額と全金種の合計金額である。
【００３６】
また、入金金種調整画面２００は、当日の釣銭準備金の合計額を翌日の釣銭準備金の規定値として表示する規定釣銭額表示エリア２０８を含む。
【００３７】
入金額情報エリア２０３は、コンビニエンスストア等に設置されているＡＴＭへ入金する入金額に関する入金額情報を表示する。入金額情報は、紙幣金種毎の枚数と紙幣金種毎の合計金額と紙幣にかかる全金種の合計金額（紙幣総額）である。
【００３８】
プール金情報エリア２０４は、プール金（当日硬貨出金）に関するプール金情報を表示する。プール金情報は、硬貨金種毎の枚数と硬貨金種毎の合計金額と硬貨にかかる全金種の合計金額（硬貨総額）である。
【００３９】
また、入金金種調整画面２００は、コンビニエンスストア等に設置されているＡＴＭへ入金する入金額（入金額情報エリア２０３の紙幣総額の初期値）を表示する入金額表示エリア２０９と、プール金（プール金情報エリア２０４の硬貨総額の初期値）を表示するプール金表示エリア２１０と、を含む。
【００４０】
また、この入金金種調整画面２００には、釣銭準備金情報エリア２０２、入金額情報エリア２０３、プール金情報エリア２０４に表示された数字の確定を宣言する確定ボタン２１１が表示されている。なお、釣銭準備金情報エリア２０２の釣銭準備金情報の全金種の合計金額が規定釣銭額表示エリア２０８の規定値と一致している状態、紙幣総額と入金額が一致している状態、硬貨総額とプール金が一致している状態でないと、確定ボタン２１１の操作による情報の確定ができないものとなっている。
【００４１】
変更手段８２は、入金金種調整画面２００上に表示された入金額とプール金と釣銭準備金とについての値の変更を実行する。
【００４２】
具体的には、変更手段８２は、釣銭準備金情報エリア２０２の釣銭準備金情報について、釣銭準備金情報エリア２０２の釣銭準備金情報の全金種の合計金額が規定釣銭額表示エリア２０８の規定値と一致することを条件として、変更可能とする。
【００４３】
また、変更手段８２は、入金額情報エリア２０３の入金額情報について、入金額情報エリア２０３の紙幣総額が入金額表示エリア２０９の入金額と一致することを条件として、変更可能とする。また、変更手段８２は、プール金情報エリア２０４のプール金情報について、プール金情報エリア２０４の硬貨総額がプール金表示エリア２１０のプール金（当日硬貨出金）と一致することを条件として、変更可能とする。
【００４４】
なお、変更手段８２は、入金額情報エリア２０３の入金額情報またはプール金情報エリア２０４のプール金情報の少なくとも何れか一方を適正に変更した場合、変更内容に応じて釣銭準備金情報エリア２０２の釣銭準備金情報も変更する。
【００４５】
在高入力手段８３は、貨幣収納部である自動釣銭機１００内の貨幣金種毎の枚数と金額である在高と全金種の合計金額とを入力する。本実施形態においては、自動釣銭機１００内の在高に関する在高情報エリア２０１をＰＯＳ端末１０からの要求に応じて自動釣銭機１００から送信させる。
【００４６】
準備金入力手段８４は、自動釣銭機１００内に収納すべき釣銭準備金の合計額を予め入力する。本実施形態においては、準備金入力手段８４は、当日の釣銭準備金の合計額を翌日の釣銭準備金の規定値として入力する。
【００４７】
入金額算出手段８５は、在高に含まれる各紙幣金種を組み合わせた金額であって在高から釣銭準備金の合計額を差し引いた仮入金額を超えずに当該仮入金額に最も近くなる金額を構成する紙幣金種毎の枚数および金額を、入金額として算出する。
【００４８】
プール金算出手段８６は、仮入金額と入金額との差額を構成する貨幣金種毎の枚数および金額をプール金として算出する。
【００４９】
準備金算出手段８７は、入金額およびプール金を在高から減じた貨幣金種毎の枚数および金額を釣銭準備金として算出する。
【００５０】
釣銭管理処理について、図５に示すフローチャートを参照して説明する。図５に示すように、まず、ＰＯＳ端末１０のＣＰＵ３８（入金額算出手段８５）は、入金金種調整画面２００の入金額情報エリア２０３に表示する入金額として各金種の初期値を算出する（ステップＳ１）。
【００５１】
より詳細には、ステップＳ１においてＰＯＳ端末１０のＣＰＵ３８は、自動釣銭機１００から送信された在高情報の全金種の合計金額から翌日の釣銭準備金を減じて仮入金額を算出する。
在高情報（全金種の合計金額）−翌日釣銭準備金の合計額＝仮入金額
【００５２】
次に、在高情報における金種別紙幣の枚数と仮入金額とを基に、入金額と入金額を構成する金種毎の枚数を算出する。以下において、入金額と入金額を構成する金種の枚数の算出手法について説明する。
【００５３】
入金額と入金額を構成する金種毎の枚数の算出は、紙幣金種の金額と当該紙幣金種の枚数を乗じた金額を残金（スタートは仮入金額）から減算していく減算処理を行う。
【００５４】
具体的には、ＰＯＳ端末１０のＣＰＵ３８は、紙幣の最大金種（最初は１万円札）について残金（スタートは仮入金額）から減算可能な最大枚数を求める。そして、ＣＰＵ３８は、減算可能な最大枚数を求めたら、次の金種（１万円札の次は、五千円札）について同様の計算を行う。
【００５５】
以上のようにして求められた各紙幣金種の枚数および金種毎の金額が、入金額情報における紙幣金種毎の枚数と紙幣金種毎の合計金額の初期値となる。
【００５６】
なお、最終的に紙幣の最小金種（千円札）に対して計算した後の残金が、翌日プール金となる。
【００５７】
次に、ＰＯＳ端末１０のＣＰＵ３８（プール金算出手段８６）は、入金金種調整画面２００のプール金情報エリア２０４に表示する翌日のプール金の初期値を算出する（ステップＳ２）。
【００５８】
より詳細には、ステップＳ２においてＰＯＳ端末１０のＣＰＵ３８は、硬貨の最大金種（最初は５００円硬貨）について残金（スタートは翌日プール金）から減算可能な最大枚数を求める処理を行う。そして、ＣＰＵ３８は、減算可能な最大枚数を求めたら、次の金種（５００円硬貨の次は、１００円硬貨）について同様の計算を行う。このような減算処理は、最終的に残金が０（ゼロ）になるまで実行される。
【００５９】
以上のようにして求められた各硬貨金種の枚数および硬貨金種毎の金額が、翌日のプール金の硬貨金種毎の枚数と硬貨金種毎の合計金額の初期値となる。
【００６０】
次に、ＰＯＳ端末１０のＣＰＵ３８（準備金算出手段８７）は、入金金種調整画面２００の釣銭準備金情報エリア２０２に表示する釣銭準備金における各金種の初期値を算出する（ステップＳ３）。
【００６１】
より詳細には、ステップＳ３においてＰＯＳ端末１０のＣＰＵ３８は、自動釣銭機１００から送信された在高情報（金種毎の貨幣の枚数）から入金額（紙幣金種毎の枚数）およびプール金（硬貨金種毎の枚数）を減じて翌日の釣銭準備金（各金種枚数の初期値）を算出する。
在高情報−入金額およびプール金＝翌日釣銭準備金
【００６２】
次に、ＰＯＳ端末１０のＣＰＵ３８（表示手段８１）は、入金金種調整画面２００の各エリアに初期値を表示する（ステップＳ４）。
【００６３】
入金金種調整画面２００の釣銭準備金情報エリア２０２には、ステップＳ３で算出した釣銭準備金（各金種の初期値）が表示される。入金金種調整画面２００の入金額情報エリア２０３には、ステップＳ１で算出した入金情報（入金額の紙幣の各金種の初期値）が表示される。入金金種調整画面２００のプール金情報エリア２０４には、ステップＳ２で算出した翌日プール金（入金額の硬貨の各金種の初期値）が表示される。
【００６４】
次に、ＰＯＳ端末１０のＣＰＵ３８は、釣銭準備金情報エリア２０２、入金額情報エリア２０３およびプール金情報エリア２０４における値の変更に待機するとともに（ステップＳ５）、確定ボタン２１１の操作に待機する（ステップＳ６）。
【００６５】
本実施形態においては、翌日釣銭準備金（釣銭）、ＡＴＭへの入金額（入金額の紙幣分）、翌日プール金（入金額の硬貨分）の各金種の枚数は、手動で変更することが可能となっている。
【００６６】
何れかのエリアにおいて値の変更があったことを条件として（ステップＳ５のＹｅｓ）、ＰＯＳ端末１０のＣＰＵ３８（変更手段８２）は、他のエリアについても値を変更する変更処理を実行する（ステップＳ７）。
【００６７】
また、確定ボタン２１１の操作があったことを条件として（ステップＳ６のＹｅｓ）、ＰＯＳ端末１０のＣＰＵ３８は、確認メッセージを表示するとともに、釣銭準備金情報エリア２０２、入金額情報エリア２０３およびプール金情報エリア２０４における値を確定する（ステップＳ８）。
【００６８】
また、ＰＯＳ端末１０のＣＰＵ３８は、ＡＴＭへの入金額、翌日プール金を、ＨＤＤ５５の売上ファイルに記憶する（ステップＳ９）。
【００６９】
さらに、ＰＯＳ端末１０のＣＰＵ３８は、サーマルプリンタ３７を制御して下記に示す項目を印字する（ステップＳ１０）。
・金種別在高入力
・翌日釣銭準備金
・ＡＴＭへの入金額
・翌日プール金
【００７０】
このように、実施形態のＰＯＳ端末１０によれば、コンビニエンスストア等に設置されているＡＴＭに入金するための紙幣のみの入金額を金種毎に自動で算出することで、手持在高を正しく保持することができ、また入力ミスを減らすことができる。
【００７１】
さらに、実施形態のＰＯＳ端末１０によれば、入金額にかかる紙幣金種毎の枚数と紙幣金種毎の合計金額とを入金金種調整画面２００上で変更することができるので、使い勝手が良くすることができる。
【００７２】
なお、本実施形態においては、自動釣銭機１００内の在高に関する在高情報エリア２０１をＰＯＳ端末１０からの要求に応じて自動釣銭機１００から送信させるようにしたが、これに限るものではない。例えば、ＰＯＳ端末１０に自動釣銭機１００を接続せずに、ＰＯＳ端末１０で扱う貨幣を一時的に保管する引出しであるキャッシュドロワを貨幣収納部として接続するケースも想定される。このようなケースでは、下記に示すような手順を採るようにすればよい。
１．ＰＯＳ端末１０に在高を入力する在高入力画面（図示せず）を表示する。
２．在高入力画面にて、手持在高（実現金）の入力を行う。入力方法として、各金種の枚数を入力する。
３．手持在高（実現金）を入力後、在高確定ボタン（図示せず）の押下にて手持在高（現金）入力を確定し、入金金種調整画面２００に遷移する。
【００７３】
また、本実施形態において入金金種調整画面２００の在高情報エリア２０１に表示される在高情報は、変更できないようにロックされた状態としたがこれに限るものではなく、在高情報エリア２０１において金種別在高の調整を行えるようにしても良い。
【００７４】
なお、本実施形態においては販売データ処理装置としてＰＯＳ端末１０を適用したが、限るものではない。例えば、販売データ処理装置を、ＥＣＲ（Electric  Cash  Register）に適用しても良い。
【００７５】
本実施形態のＰＯＳ端末１０で実行されるコンピュータプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００７６】
また、本実施形態のＰＯＳ端末１０で実行されるコンピュータプログラムを、インターネット等のネットワークに接続されたコンピュータ上に格納し、ネットワーク経由でダウンロードさせることにより提供するように構成しても良い。また、本実施形態のＰＯＳ端末１０で実行されるコンピュータプログラムをインターネット等のネットワーク経由で提供または配布するように構成しても良い。
【００７７】
また、本実施形態のＰＯＳ端末１０で実行されるコンピュータプログラムを、ＲＯＭ等に予め組み込んで提供するように構成してもよい。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１０  販売データ処理装置
３４  表示器
８１  表示手段
８２  変更手段
８３  在高入力手段
８４  準備金入力手段
８５  入金額算出手段
８６  プール金算出手段
８７  準備金算出手段
１００  貨幣収納部
【先行技術文献】
【特許文献】
【００８０】
【特許文献１】特開２０１３−３７５７３号公報
【図１】
2020109713.tif 000003
【図２】
2020109713.tif 000004
【図３】
2020109713.tif 000005
【図４】
2020109713.tif 000006
【図５】
2020109713.tif 000007
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
表示器と、
販売データ処理に際して入出金する貨幣を収納する貨幣収納部と、
前記貨幣収納部内の貨幣金種毎の枚数および金額である在高と、前記在高に含まれる各紙幣金種を組み合わせた金額であって前記在高から予め決められた釣銭準備金の合計額を差し引いた仮入金額を超えずに当該仮入金額に最も近くなる金額を構成する紙幣金種毎の枚数および金額である入金額と、前記仮入金額と前記入金額との差額を構成する貨幣金種毎の枚数および金額であるプール金と、前記入金額および前記プール金を前記在高から減じた貨幣金種毎の枚数および金額である釣銭準備金とを表示する調整画面を前記表示器に表示する表示手段と、
印字装置を制御し、前記表示手段の表示に係る金額を示した金額情報を印字させる印字制御手段と、
を備える販売データ処理装置。
【請求項２】
前記印字制御手段は、少なくとも前記在高と前記入金額と前記釣銭準備金とを含んだ前記金額情報を印刷させる請求項１に記載の販売データ処理装置。
【請求項３】
前記入金額と前記プール金と前記釣銭準備金として前記調整画面に表示された値の変更を実行する変更手段を更に備える請求項１又は２に記載の販売データ処理装置。
【請求項４】
前記表示手段は、前記調整画面に表示された前記在高を、前記変更手段により変更できないようにロックされた状態にする請求項３に記載の販売データ処理装置。
【請求項５】
表示器と、販売データ処理に際して入出金する貨幣を収納する貨幣収納部とを備える販売データ処理装置のコンピュータを、
前記貨幣収納部内の貨幣金種毎の枚数および金額である在高と、前記在高に含まれる各紙幣金種を組み合わせた金額であって前記在高から予め決められた釣銭準備金の合計額を差し引いた仮入金額を超えずに当該仮入金額に最も近くなる金額を構成する紙幣金種毎の枚数および金額である入金額と、前記仮入金額と前記入金額との差額を構成する貨幣金種毎の枚数および金額であるプール金と、前記入金額および前記プール金を前記在高から減じた貨幣金種毎の枚数および金額である釣銭準備金とを表示する調整画面を前記表示器に表示する表示手段と、
印字装置を制御し、前記表示手段の表示に係る金額を示した金額情報を印字させる印字制御手段と、
して機能させるためのプログラム。
【手続補正３】
【補正対象書類名】明細書
【補正対象項目名】０００１
【補正方法】変更
【補正の内容】
【０００１】
本発明の実施形態は、販売データ処理装置及びプログラムに関する。
【手続補正４】
【補正対象書類名】明細書
【補正対象項目名】０００６
【補正方法】変更
【補正の内容】
【０００６】
本発明が解決しようとする課題は、コンビニエンスストア等に設置されているＡＴＭに入金するための紙幣のみの入金額を金種毎に自動で算出することで、手持在高を正しく保持することができ、また入力ミスを減らすことができる販売データ処理装置及びプログラムを提供することである。
【手続補正５】
【補正対象書類名】明細書
【補正対象項目名】０００７
【補正方法】変更
【補正の内容】
【０００７】
実施形態の販売データ処理装置は、表示器と、販売データ処理に際して入出金する貨幣を収納する貨幣収納部と、前記貨幣収納部内の貨幣金種毎の枚数および金額である在高と、前記在高に含まれる各紙幣金種を組み合わせた金額であって前記在高から予め決められた釣銭準備金の合計額を差し引いた仮入金額を超えずに当該仮入金額に最も近くなる金額を構成する紙幣金種毎の枚数および金額である入金額と、前記仮入金額と前記入金額との差額を構成する貨幣金種毎の枚数および金額であるプール金と、前記入金額および前記プール金を前記在高から減じた貨幣金種毎の枚数および金額である釣銭準備金とを表示する調整画面を前記表示器に表示する表示手段と、印字装置を制御し、前記表示手段の表示に係る金額を示した金額情報を印字させる印字制御手段と、を備える。